(57)【要約】【課題】操作制御しやすく、更に多くの家電製品を制御することができ、更に複雑なモジュールを設定することができる家電リモコンの整合装置を提供する。      【解決手段】家電リモコンの整合装置は、一つのリモコン装置及び一受信装置を含み、そのうち、リモコン装置は、メモリーユニット、複数のキーを含むキーユニット、第一送受信ユニット、及び操作制御されたキーに基づき、命令信号を発し、複数の命令信号を含む命令集合をメモリーユニットに保存し、且つ発した命令信号、もしくはメモリーユニットに保存した命令集合を、第一送受信ユニットを経て送信する一第一処理ユニットを含む。また受信装置は、一つの第二送受信ユニット、第二送受信ユニットを経てリモコン装置の命令信号もしくは命令集合を受信し、制御信号をデコードする一つの第二処理ユニット、電源はデコードした制御信号に基づき、電源に出力するか否かを決定する一スイッチを含む。【選択図】図２
0003132019.tif 000002
【実用新案登録請求の範囲】
【請求項１】
一つのリモコン装置と受信装置から構成された家電リモコンの整合装置において、そのうちリモコン装置は、
複数の名信号を含む少なくとも命令集合を保存する一つのメモリーユニットと、
複数のキーを含む一つのキーユニットと、
一つの送受信ユニットと、
操作制御されたキーに基づき、命令信号を発し、複数の命令信号を含む命令集合をメモリーユニットに保存し、且つ発生した命令信号、もしくはメモリーユニットが保存した命令集合を、第一送受信ユニットを経て無線送信する一第一処理ユニットを含み、
受信装置は、
一つの第二送受信ユニットと、
第二送受信ユニットからリモコン装置の命令信号もしくは命令集合を受信し、受信した信号を制御信号にデコードする一つの第二処理ユニットと、
電源は第二処理ユニットがデコードした制御信号に基づき、電源を出力するか否かを決定する一スイッチを含むことを特徴とする家電リモコンの整合装置。
【請求項２】
前記リモコン装置は、一つの表示ユニットを含み、第一処理ユニットが更に表示情報を発生し、その発生した表示情報が表示ユニットに伝送して表示する表示手段を有することを特徴とする請求項１記載の家電リモコンの整合装置。
【請求項３】
前記受信装置の第二処理ユニットは、受信した信号が正確か否かを更に検査して、正確であれば、受信した信号を制御信号にデコードし、第二送受信ユニットを経て一確認信号を無線送信するか、さもなければ第二送受信ユニットを経て一失敗信号を無線送信し、リモコン装置の第一処理ユニットが更に第一送受信ユニットを経て受信装置の確認信号及び失敗信号を受信し、受信した信号を表示ユニットに伝送して表示する表示する表示手段を有することを特徴とする請求項１記載の家電リモコンの整合装置。
【請求項４】
前記リモコン装置の表示ユニットは、液晶ディスプレイとすることを特徴とする請求項２記載の家電リモコンの整合装置。
【請求項５】
前記リモコン装置の表示ユニットは、発光ダイオードディスプレイとすることを特徴とする請求項２記載の家電リモコンの整合装置。
【請求項６】
前記リモコン装置の第一送受信ユニットと受信装置の第二送受信ユニットは、間にIEEE802．15.4標準を使用して無線通信を行うことを特徴とする請求項１記載の家電リモコンの整合装置。
【請求項７】
前記受信装置は、更に光調節発生ユニットを含み、その光調節発生ユニットは一手動光調節電圧を受信し、第二処理ユニットがデコードした制御信号に基づき、リモコン光調節電圧を発生し、且つ光調節電圧の内のひとつが出力する出力手段を有することを特徴とする請求項１記載の家電リモコンの整合装置。
【請求項８】
前記受信装置の光調節信号発生ユニットは、一デジタル/アナログコンバーター、一拡大器及び一切換器を含み、デジタル/アナログコンバーターは、第二処理ユニットがデコードした制御信号に基づき、一アナログ電圧を発生し、拡大器はアナログ電圧を増幅してリモコン光調節電圧を発生し、第二処理ユニットは手動光調節電圧をモニタリングし、モニタリングできた時、切換器で手動光調節電圧を出力し、さもなければ切換器でリモコン光調節電圧を出力する出力手段を有することを特徴とする請求項７記載の家電リモコンの整合装置。
【請求項９】
前記受信装置の光調節発生ユニットは、出力する電圧が０から１２ボルトの範囲内であることを特徴とする請求項７記載の家電リモコンの整合装置。
【請求項１０】
前記リモコン装置は、受信装置のハードナンバーを記録することができ、数字コードで受信装置を制御することを特徴とする請求項１記載の家電リモコンの整合装置。
【請求項１１】
前記リモコン装置は、二組以上の受信装置を制御し、その受信装置は複数の家電製品に連接できることを特徴とする請求項１記載の家電リモコンの整合装置。
【請求項１２】
前記リモコン装置は、異なる受信装置に対して連接した家電製品の設定が一組の命令集合であることを特徴とする請求項１１記載の家電リモコンの整合装置。
【請求項１３】
リモコン装置において、
複数の命令信号を含む少なくとも命令集合を保存する一つのメモリーユニットと、
複数のキーを含む一つのキーユニットと、
一つの送受信ユニットと、
操作制御されたキーに基づき、命令信号を発し、複数の命令信号を含む命令集合をメモリーユニットに保存し、且つ発した命令信号、もしくはメモリー信号が保存した命令集合を、送受信ユニットを経て無線送信する処理ユニットを含むことを特徴とするリモコン装置。
【請求項１４】
前記処理ユニットは、更に表示情報を発し、発した表示情報を表示ユニットに伝送して表示する表示手段を有することを特徴とする請求項１３記載のリモコン装置。
【請求項１５】
前記処理ユニットは、更に送受信ユニットを経て一確認信号及び一失敗信号を受信し、受信した信号を表示ユニットに伝送して表示する表示手段を有することを特徴とする請求項１４記載のリモコン装置。
【請求項１６】
前記表示ユニットは、一液晶ディスプレイとすることを特徴とする請求項１４記載のリモコン装置
【請求項１７】
前記表示ユニットは、一発光ダイオードディスプレイとすることを特徴とする請求項１４記載のリモコン装置。
【請求項１８】
前記送受信ユニットは、IEEE802．15.4標準を使用して無線通信することを特徴とする請求項１３記載のリモコン装置。
【考案の詳細な説明】
【技術分野】
【０００１】
本考案は、リモコンの整合装置及びリモコン装置で、特に家電リモコンの整合装置及びリモコン装置に関するものである。
【背景技術】
【０００２】
科学技術の進歩に伴い、人々は生活の質を重視するようになり、各家庭では多くの家電製品を具え（例：クーラー、オーディオ、照明器具等）、生活を快適なものにしている。しかしながら、これらの家電製品が各所にあるため、手動で操作する場合、使用上の不便がある。
図１は、下記に示すとおり、一種のリモコン光調節装置で、照明の光の明るさを調整する。以下、そのリモコン光調節装置で二電球を制御することを例として説明をする。
【特許文献１】台湾特許第Ｍ２６３６８８号
【特許文献２】特開２００６−６０６６５号
【０００３】
この光調節装置は、無線サーバー器１及びリモコン光調節回路２を含むもので、この無線サーバー１は、複数のキー１１、一エンコーダー１２及び一サーバーユニット１３を含む。これらのキー１１が操作されると、エンコーダー１２が無線サーバー１の身分識別コード及び操作されるキー１１に対応したＲＦ信号を発し、サーバーユニット１３を経て送信される。
前記リモコン光調節回路２は、レシーバー２１、一マイクロコントローラー２２、フォトカプラモジュラー２３、位相制御モジュラー２４及び電源供給回路２５を含む。フォトカプラモジュラー２３は、二フォトカプラ２３１を含む。また位相制御モジュラー２４は、二位相制御マイクロコントローラー２４１及び二パワードライブ２４２を含む。各一フォトカプラ２３１と一位相制御マイクロコントローラー２４１及び一パワードライブ２４２は直列で電球３を制御する。
【０００４】
前記電源供給回路２５は一交流電源から受け、交流電源を二パワードライブ２４２及び二電球３に提供し、且つその交流電源を一低電圧の直流電源に転換し、直流電源をレシーバー２１、マイクロコントローラー２２及び二位相制御マイクロコントローラー２４１に提供する。
マイクロコントローラー２２は、無線サーバー１の身分識別コードとＲＦ信号を保存して情報をデコードする。このマイクロコントローラー２２はレシーバー２１を経て無線サーバー１の身分識別コード及びＲＦ信号を受け、受信した身分識別コードを確認した後、受信したＲＦ信号を制御信号にデコードする。
前記二フォトカプラ２３１はマイクロコントローラー２２がデコードした制御信号をそれぞれに位相制御マイクロコントローラー２４１へ伝達し、低電圧のマイクロコントローラー２２と高電圧の位相制御モジュラー２４を隔離及び保護する。
前記二位相制御マイクロコントローラー２４１は、受信した制御信号のパルス幅に基づき、二パワードライブ２４２に対して導電角位相制御を実行し、この二電球３を導電角位相の異なりに従って輝度を変更する。
【考案の開示】
【考案が解決しようとする課題】
【０００５】
解決しようとする問題点は、この無線コントローラー１はメモリー機能を具えていないため、記憶した前の設定済のモジュールが出来ず、毎回ライトを付ける毎に初めから無線コントローラー１で各電球３の輝度を操作してユーザーが好む状態にしなければならない。この電球３の数が多い時には、逐一調整しなければならず、非常に面倒である。そのため、操作上の過度な面倒を避けるため、無線コントローラー１が制御する電球３の数に制限が加えられる点である。
本考案は、操作制御しやすい家電リモコン整合装置であり、更に多くの家電製品を制御することができ、更に複雑なモジュールを設定することができる家電リモコンの整合装置を提供しようとするものである。
【課題を解決するための手段】
【０００６】
本考案は、一つのリモコン装置及び受信装置からなり、そのうち、リモコン装置は、一つのメモリーユニット、複数のキーを含む一つのキーユニット、一つの第一送受信ユニット、及び操作制御されたキーに基づき、命令信号を発し、複数の命令信号を含む命令集合をメモリーユニットに保存し、且つ発生した命令信号、もしくはメモリーユニットに保存した命令集合を、第一送受信ユニットを経て送信する一つの第一処理ユニットを含むものである。また、受信装置は、一つの第二送受信ユニット、第二送受信ユニットを経てリモコン装置の命令信号もしくは命令集合を受信し、制御信号をデコードする一つの第二処理ユニット、電源はデコードした制御信号に基づき、電源に出力するか否かを決定する一スイッチを含むことを最も主要な特徴とする。
【０００７】
すなわち、請求項１の考案は、一つのリモコン装置と受信装置から構成された家電リモコンの整合装置において、そのうちリモコン装置が、複数の名信号を含む少なくとも命令集合を保存する一つのメモリーユニットと、複数のキーを含む一つのキーユニットと、一つの送受信ユニットと、操作制御されたキーに基づき、命令信号を発し、複数の命令信号を含む命令集合をメモリーユニットに保存し、且つ発生した命令信号、もしくはメモリーユニットが保存した命令集合を、第一送受信ユニットを経て無線送信する一第一処理ユニットを含み、
受信装置は、一つの第二送受信ユニットと、第二送受信ユニットからリモコン装置の命令信号もしくは命令集合を受信し、受信した信号を制御信号にデコードする一つの第二処理ユニットと、
電源は第二処理ユニットがデコードした制御信号に基づき、電源を出力するか否かを決定する一スイッチを含むことを特徴とする家電リモコンの整合装置である。
【０００８】
請求項２の考案は、前記リモコン装置が、一つの表示ユニットを含み、第一処理ユニットが更に表示情報を発生し、その発生した表示情報が表示ユニットに伝送して表示する表示手段を有することを特徴とする請求項１記載の家電リモコンの整合装置である。
請求項３の考案は、前記受信装置の第二処理ユニットは、受信した信号が正確か否かを更に検査して、正確であれば、受信した信号を制御信号にデコードし、第二送受信ユニットを経て一確認信号を無線送信するか、さもなければ第二送受信ユニットを経て一失敗信号を無線送信し、リモコン装置の第一処理ユニットが更に第一送受信ユニットを経て受信装置の確認信号及び失敗信号を受信し、受信した信号を表示ユニットに伝送して表示する表示する表示手段を有することを特徴とする請求項１記載の家電リモコンの整合装置である。
請求項４の考案は、前記リモコン装置の表示ユニットは、液晶ディスプレイとすることを特徴とする請求項２記載の家電リモコンの整合装置である。
請求項５の考案は、前記リモコン装置の表示ユニットは、発光ダイオードディスプレイとすることを特徴とする請求項２記載の家電リモコンの整合装置である。
請求項６の考案は、前記リモコン装置の第一送受信ユニットと受信装置の第二送受信ユニットは、間にIEEE802．15.4標準を使用して無線通信を行うことを特徴とする請求項１記載の家電リモコンの整合装置である。
請求項７の考案は、前記受信装置は、更に光調節発生ユニットを含み、その光調節発生ユニットは一手動光調節電圧を受信し、第二処理ユニットがデコードした制御信号に基づき、リモコン光調節電圧を発生し、且つ光調節電圧の内のひとつが出力する出力手段を有することを特徴とする請求項１記載の家電リモコンの整合装置。
請求項８の考案は、前記受信装置の光調節信号発生ユニットは、一デジタル/アナログコンバーター、一拡大器及び一切換器を含み、デジタル/アナログコンバーターは、第二処理ユニットがデコードした制御信号に基づき、一アナログ電圧を発生し、拡大器はアナログ電圧を増幅してリモコン光調節電圧を発生し、第二処理ユニットは手動光調節電圧をモニタリングし、モニタリングできた時、切換器で手動光調節電圧を出力し、さもなければ切換器でリモコン光調節電圧を出力する出力手段を有することを特徴とする請求項７記載の家電リモコンの整合装置である。
請求項９の考案は、前記受信装置の光調節発生ユニットは、出力する電圧が０から１２ボルトの範囲内であることを特徴とする請求項７記載の家電リモコンの整合装置である。
請求項１０の考案は、前記リモコン装置は、受信装置のハードナンバーを記録することができ、数字コードで受信装置を制御することを特徴とする請求項１記載の家電リモコンの整合装置である。
請求項１１の考案は、前記リモコン装置は、二組以上の受信装置を制御し、その受信装置は複数の家電製品に連接できることを特徴とする請求項１記載の家電リモコンの整合装置である。
請求項１２の考案は、前記リモコン装置は、異なる受信装置に対して連接した家電製品の設定が一組の命令集合であることを特徴とする請求項１１記載の家電リモコンの整合装置である。
【０００９】
請求項１３の考案は、リモコン装置において、複数の命令信号を含む少なくとも命令集合を保存する一つのメモリーユニットと、複数のキーを含む一つのキーユニットと、一つの送受信ユニットと、操作制御されたキーに基づき、命令信号を発し、複数の命令信号を含む命令集合をメモリーユニットに保存し、且つ発した命令信号、もしくはメモリー信号が保存した命令集合を、送受信ユニットを経て無線送信する処理ユニットを含むことを特徴とするリモコン装置である。
【００１０】
請求項１４の考案は、前記処理ユニットは、更に表示情報を発し、発した表示情報を表示ユニットに伝送して表示する表示手段を有することを特徴とする請求項１３記載のリモコン装置である。
請求項１５の考案は、前記処理ユニットは、更に送受信ユニットを経て一確認信号及び一失敗信号を受信し、受信した信号を表示ユニットに伝送して表示する表示手段を有することを特徴とする請求項１４記載のリモコン装置である。
請求項１６の考案は、前記表示ユニットは、一液晶ディスプレイとすることを特徴とする請求項１４記載のリモコン装置である。
請求項１７の考案は、前記表示ユニットは、一発光ダイオードディスプレイとすることを特徴とする請求項１４記載のリモコン装置である。
請求項１８の考案は、前記送受信ユニットは、IEEE802．15.4標準を使用して無線通信することを特徴とする請求項１３記載のリモコン装置である。
【考案の効果】
【００１１】
本考案の家電リモコンの整合装置は、操作制御しやすい家電リモコン整合装置を提供することにより、更に多くの家電製品を制御することができ、更に複雑なモジュールを設定することができるという利点がある。
【考案を実施するための最良の形態】
【００１２】
一種の操作制御しやすい家電リモコン整合装置を提供し、更に多くの家電製品を制御することができ、更に複雑なモジュールを設定することができることを本考案の主な目的である。
本考案の家電リモコンの整合装置は、一つのリモコン装置及び受信装置からなり、このリモコン装置は、一つのメモリーユニット、一つの表示ユニット、一つのキーユニット、一つの第一送受信ユニット、及び一つの第一処理ユニットからなり、このメモリーユニットは、少なくとも複数の命令信号を含む一命令集合を保存して用いる。キーユニットは複数のキーを含む。第一処理ユニットは、操作制御されたキーに基づく。命令信号を発し、複数の命令信号を含む命令集合をメモリーユニットに保存し、且つ発生した命令信号、もしくはメモリーユニットが保存した一つの命令集合を第一送受信ユニットを経て無線送信する装置である。
この受信装置は、一つの第二送受信ユニット、一つの第二処理ユニット及び一つのスイッチをからなり、第二処理ユニットは、第二送受信ユニットを経てリモコン装置の命令信号、もしくは命令集合を受信し、受信した信号を制御信号にデコードする。スイッチは一電源を受信し、第二処理ユニットがデコードした制御信号に基づき、電源を出力するか否かを決定する。
【実施例１】
【００１３】
図２は、本考案の家電リモコンの整合装置の第一実施例で、リモコン装置４及び受信装置５から構成される。                                                                              このリモコン装置４は、一つのメモリーユニット４１、一つのキーユニット４２、一つの第一処理ユニット４３、一つの表示ユニット４４及び一つの第一送受信ユニット４５を含み、且つ一つの設定モジュール、もしくは一つの操作モジュールにおいて操作され、このリモコン装置はロック機能を具え、子どもに依るミスタッチを防止して操作に支障がないようにしている。
リモコン装置４は、設定モジュールに於いて、キータッチで各受信装置５のハードナンバーを入力でき、一個の数字コードを与え、その後操作制御モジュールの下で、数字コードで受信装置５を別個にコントロールする。
メモリーユニット４１は複数の命令信号を含む少なくとも一つの命令集合を保存する。各命令集合は、既に設定した状態に対応する。
【００１４】
キーユニット４２は、複数のキー（図示せず）を含み、これらのキーは、設定モジュールに於いて操作制御される時、第一処理ユニット４３は操作制御されたキーに基づき、情報表示及び命令信号を発し、発した表示情報を表示ユニット４４に伝送して表示する。更に、複数の命令信号を含む命令集合をメモリーユニット４１に保存する。またこれらのキーは操作モジュールに於いて操作制御された時、第一処理ユニット４３は操作制御されたキーに基づき、情報を表示して表示ユニット４４へ伝送して表示する。更にメモリーユニット４１が保存した一命令集合から選定するか、もしくは命令信号を発し、選定した命令集合、もしくは発した命令集合を、第一送受信ユニット４５を経て無線送信する。
特に、表示ユニット４４は、一液晶ディスプレイであるが、一発光ダイオードディスプレイでもよく、制限はない。この他、リモコン装置４のシャットダウン、もしくは省エネモジュールの時、受信装置５の状況は変更できない。
【００１５】
受信装置５は、一第二送受信ユニット５１、一第二処理ユニット５２及び少なくとも一スイッチを含む。ここでは受信装置５は二スイッチ５３、５４を含むものとして説明する。
第二処理ユニット５２は、第二送受信ユニット５１を経てリモコン装置４からの命令信号、もしくは命令集合を受け取り、受信した信号を制御信号にデコードする。
各スイッチ５３、５４は電源を接続し、第二処理ユニット５２がデコードした制御信号に基づき、この電源を一家電製品（図未提示）に出力するか否かを決定する。
この受信装置５の第二処理ユニット５２は、命令信号、もしくは命令集合を受信した後、更に受信した信号が正確か否かを検査し、もしも正確であれば、受信した信号を制御信号にデコードし、第二送受信ユニット５１を経て一確認信号を無線送信する。また正確でないと判断した場合は第二送受信ユニット５１を経て失敗信号を無線送信する。
リモコン装置４の第一処理ユニット４３は、第一送受信ユニット４５を経て受信装置５からの確認信号及び失敗信号を受信し、プログラムによって命令信号、もしくは命令集合を第二送受信ユニットへ再度送るか否かを判断する。即ち距離が遠すぎることによる信号微弱もしくはその他の信号による妨害受信が誤動作をさせない。
【００１６】
本実施例に於いて、命令信号、確認信号及び失敗信号のすべては、順に排列した一つの開始セクター、一つのソースセクター、一つの目的セクター、一つの情報セクター、及び一つの終了セクターを含み、この開始セクター及び終了セクターは表示信号の開始と終了に用い、ソースセクターは記録信号発信端の身分識別コードを用いる。また、目的セクターは記録信号の受信端の身分識別コードを用い、情報セクターは選定された部品の動作及び付帯数値、もしくは、検査結果を含むものである。
【００１７】
前記命令信号において、ソースセクターがリモコン装置４の身分識別コードを記録し、目的セクターは受信装置５の身分識別コードを記録する。また、情報セクターは受信装置５内で選定されたスイッチ、及びそれが導電するか否かを記録する。このようにしてリモコン装置４は受信装置の二スイッチ５３、５４がすべて導電するか、もしくはすべて導電しないか、もしくはひとつだけ導電するかを制御する。
【００１８】
確認信号及び失敗信号において、このソースセクターは受信装置の５の身分識別コードを記録し、目的セクターはリモコン装置４の身分識別コードを記録する。また情報セクターは確認もしくは失敗を記録する。特にこの情報セクターもその他の情報、例として二スイッチ５３、５４と電気連接する家電製品の状態を記録することができる。
本実施例に於いて、リモコン装置４の第一送受信ユニット４５と受信装置５の第二送受信ユニット５１の間はIEEE802.15.4標準を使用して無線通信を実施するが、それに限らない。
本実施例に於いて、リモコン装置４のキーユニット４１が操作制御されると、表示ユニット４４は受信装置５内の選定されたスイッチの番号及び動作を表示するが、これに限らない。
【実施例２】
【００１９】
図３に示すのは、本考案の家電リモコンの整合装置の第二実施例を光調節に適用したもので、且つ少なくとも一つの電子安定器を制御し、各電子安定器は一つの電球６に電気連接し、且つその電球６の輝度を変更する。第二実施例が複数の電子安定器を制御すると、これらの電子安定器の電源端は一度に電気連接する。ここでは第二実施例が二電子安定器５６、５７を制御することを例として説明を行う。第二実施例と第一実施例は類似するが、異なる点は、下述のとおりである。
【００２０】
受信装置５は、一つの第二送受信ユニット５１、一つの第二処理ユニット５２、一つのスイッチ５３及び一つの光調節信号発生ユニット５５を含む。
第二処理ユニット５２は、第二送受信ユニット５１を経てリモコン装置４の命令信号もしくは命令集合を受信し、受信した信号を制御信号にデコードする。
スイッチ５３は一交流電源を受信し、第二処理ユニット５２がデコードした制御信号に基づき、交流電源が電子安定器５６に出力するか否かを決定する。
光調節信号発生ユニット５５は一手動光調節電圧を受け、第二処理ユニット５２がデコードした制御信号（例ｂ１、ｂ２、ｂ３…）に基づき、一光調節電圧を発生し、且つ二光調節電圧のひとつを二電子安定器５６、５７に出力する。
【００２１】
図４に示すとおり、本実施例に於いて、この光調節信号発生ユニット５５は、一デジタル/アナログコンバーター５５１、一拡大器５５２及び一切換器５５３を含む（図では第二処理ユニット５２及び光調節信号発生ユニット５５だけを表示している）。このデジタル/アナログコンバーター５５１は、第二処理ユニット５２がデコードした制御信号に基づき、一アナログ電圧を発生する。拡大器５５２はアナログ電圧を増幅してリモコン光調節電圧を発する。第二処理ユニット５２が更に手動光調節電圧をモニタリングして、それがモニタリングできた時、切換器５５３を手動光調節電圧から出力するか、さもなければ切換器５５３からリモコン光調節電圧を出力させる。この光調節信号発生ユニット５５が出力した電圧は０−１２ボルトの範囲内とする。
【００２２】
この受信装置５もリモコン装置４の制御、もしくは手動光調節装置に依る光調節出力電圧を制御することが出来る。
命令信号において、このソースセクターは、リモコン装置４の身分識別コードを記録し、目的セクターは受信装置５の身分識別コードを記録する。また情報セクターは受信装置５のスイッチ５３、もしくは光調節発生ユニット５５、及び導電するか否か、もしくはリモコン光調節電圧と対応するデジタル値を記録する。例としてこのリモコン装置４は二電球６が同時に点く、消える、及び点灯時の輝度を制御する。
確認信号及び失敗信号において、ソースセクターは受信装置５の身分識別コードを記録し、目的セクターはリモコン装置４の身分識別コードを記録する。また情報セクターは確認もしくは失敗を記録する。特にこの情報セクターはその他の情報、例として二電球６の輝度も記録することができる。
本実施例に於いて、リモコン装置４のキーユニット４１が操作制御される時、表示ユニット４４は受信装置５内のスイッチ５３、もしくは光調節発生ユニット５５のナンバー及び動作を表示するが、これに限らない。
第一実施例及び第二実施例に於いて、このリモコン装置４は複数の受信装置５と共に使用する。
【００２３】
上述からわかるとおり、このリモコン装置４のメモリーユニット４１は複数命令信号を含む少なくとも一命令集合を保存し、キーユニット４２の一キーを操作制御することにより、選定した命令集合を、第一送受信ユニット４５を経て無線発信し、少なくとも一家電製品を制御する。例としてユーザーが帰宅した時、一キーを押すだけで明かりが点いて輝度を調整する、クーラーが自動的に始動する、オーディオが自動的に音楽を放送する、カーテンが自動で閉まる等である。本考案は多数目的の家電製品を制御し、更に複雑なモジュールを設定し、確実に操作制御の目的を達成することができる。
【実施例３】
【００２４】
図５に示すのは、リモコン装置４を先ず、予定した受信装置７１、７２に連接し、その受信装置７１、７２を経てリモコン装置４の指令を受信し、続いて家電製品７１１、７１２、７１３、及び家電製品７２１、７２２、７２３をそれぞれ制御する（本実施例では二受信装置だけで、三家電製品をそれぞれ制御すると説明しているが、それに限らない）。
【００２５】
ユーザーが更に新しくリモコン装置４をその他の家電製品の制御に使用する場合、図６に示すとおり、ユーザーは新しい受信装置７３を増設することができ、受信装置７３と制御したい家電製品７３１、７３２、７３３と連接し、リモコン装置４に新しく増設した受信装置７３独自のハードナンバーを記録させ、一未使用の数字コードを受信装置７３に出力指令し、その受信装置７３が連接した家電製品７３１、７３２、７３３を制御する。
もし、ユーザーがその他の家電製品の制御を更に必要とした場合、受信装置７４を更に増設することができ、同様にリモコン装置４にこの受信装置７４のハードナンバーを記録し、続いて一未使用の数字コードを受信装置７４に出力指令し、受信装置７４と連接した家電製品７４１、７４２、７４３を制御する。
【００２６】
本考案は、ユーザーのニーズに応じて、受信装置を増設し、各種家電製品を制御でき、新しく増設した受信装置は二組とは限らない。もちろん二組のうち、一組を必要としない場合には、リモコン装置４から一組の受信装置の数字コードを取り消すことができる。
更にリモコン装置４が設定保存した命令集合は、その制御を行う家電製品は同一の受信装置上に連接する必要がなく、図６に示すとおり、ユーザーは同様に受信装置７１の家電製品７１１、受信装置７２の家電製品７２３、受信装置７３の家電製品７３１と７３２、受信装置７４の家電製品７４２が設定した一組の命令集合に対し、家電製品７１１、７２３、７３１、７３２、７４２の始動及び出力状態を設定することができ、その後、その組の命令集合が各受信装置７１、７２、７３、７４の家電製品７１１、７２３、７３１、７４２に位置して調整を行い、ユーザーの操作及び使用を便利にする。
上述は、本考案の実施例に過ぎず、本考案実施の範囲を制限するものではない。即ち本考案の特許申請範囲及び考案の説明内容に簡単な同じ効果の変化及び修飾に関し、すべて本考案の範囲内とする。
【図面の簡単な説明】
【００２７】
【図１】公知のリモコン光調節装置のブロックダイアグラムである。
【図２】本考案の家電リモコンの整合装置の第一実施例のブロックダイアグラムである。
【図３】本考案の第二実施例のブロックダイアグラムである。
【図４】本考案の第二実施例の光調節信号発生ユニットを説明した回路ブロックダイアグラムである。
【図５】本考案の第三実施例の制御関係を説明したブロックダイアグラムである。
【図６】本考案の第三実施例の新設置した受信装置の制御関係を説明したブロックダイアグラムである。
【符号の説明】
【００２８】
１    サーバー
１１    キー
１２    エンコーダー
１３    サーバー
２    リモコン光調節回路
２１    レシーバー
２２    マイクロコントローラー
２３    フォトカプラモジュラー
２３１    フォトカプラ
２４    位相制御モジュラー
２４１    位相制御マイクロコントローラー
２４２    パワードライブ
２５    電源供給回路
３    電球
４    リモコン装置
４１    メモリーユニット
４２    キーユニット
４３    第一処理ユニット
４４    表示ユニット
４５    第一送受信ユニット
５    受信装置
５１    第二送受信ユニット
５２    第二処理ユニット
５３〜５４      スイッチ
５５    光調節信号発生ユニット
５５１    デジタル/アナログコンバーター
５５２    拡大器
５５３    切換器
５６,５７      電子安定器
６    電球
７１    受信装置
７１１〜７１３    家電製品
７２        受信装置
７２１〜７２３    家電製品
７３        受信装置
７３１〜７３３    家電製品
７４        受信装置
７４１〜７４３    家電製品
【図１】
0003132019.tif 000003
【図２】
0003132019.tif 000004
【図３】
0003132019.tif 000005
【図４】
0003132019.tif 000006
【図５】
0003132019.tif 000007
【図６】
0003132019.tif 000008